(57)【要約】【課題】高倍率化、小型軽量化の両立に加え、良好な光学性能を達成することを可能としたズームレンズ及びそれを有する撮像装置を提供すること。【解決手段】物体側から像側へ順に、変倍のためには不動の正の屈折力の第１レンズ群、変倍に際して移動する負の屈折力の第２レンズ群、変倍に際して移動する負の屈折力の第３レンズ群、変倍に際して移動する負の屈折力の第４レンズ群、変倍のためには不動の正の屈折力の第５レンズ群から構成されるズームレンズにおいて、該第２レンズ群と該第３レンズ群の焦点距離をそれぞれｆ２、ｆ３とし、該第２レンズ群と該第３レンズ群の望遠端における間隔をＬ２ｔとし、該ズームレンズの変倍比をＺとし、広角端からの変倍比がＺ０．６からＺ０．９５までの望遠側のズーム域における該第２レンズ群と該第３レンズ群の空気間隔の最小値をＬ２ｔｍｉｎとするとき、これらの関係を適切に満たすことを特徴とする。【選択図】図１
2017203912.tif 000002
【特許請求の範囲】
【請求項１】
物体側から像側へ順に、変倍のためには不動の正の屈折力の第１レンズ群、変倍に際して移動する負の屈折力の第２レンズ群、変倍に際して移動する負の屈折力の第３レンズ群、変倍に際して移動する負の屈折力の第４レンズ群、変倍のためには不動の正の屈折力の第５レンズ群から構成されるズームレンズにおいて、
該第２レンズ群と該第３レンズ群の焦点距離をそれぞれｆ２、ｆ３とし、
該第２レンズ群と該第３レンズ群の望遠端における間隔をＬ２ｔとし、
該ズームレンズの変倍比をＺとし、
広角端からの変倍比がＺ０．６からＺ０．９５までの望遠側のズーム域における該第２レンズ群と該第３レンズ群の空気間隔の最小値をＬ２ｔｍｉｎとするとき、
０＜Ｌ２ｔｍｉｎ／Ｌ２ｔ＜１
０．３＜ｆ３／ｆ４＜１．２
を満足することを特徴とするズームレンズ。
【請求項２】
前記第４レンズ群の焦点距離をｆ４、広角端の焦点距離をｆｗとしたとき、
−２０．０＜ｆ４／ｆｗ＜−２．０
−７．０＜ｆ３／ｆｗ＜−１．２
なる条件を満足することを特徴とする請求項１に記載のズームレンズ。
【請求項３】
前記第２レンズ群の焦点距離をｆ２、前記第３レンズ群の焦点距離をｆ３としたとき、
０．３＜ｆ２／ｆ３＜１２
なる条件を満足することを特徴とする請求項１又は請求項２に記載のズームレンズ。
【請求項４】
前記第２レンズ群は少なくとも１枚の負レンズと少なくとも１枚の正レンズから構成されることを特徴とする請求項１乃至請求項３の何れか一項に記載のズームレンズ。
【請求項５】
請求項１乃至請求項４の何れか一項に記載のズームレンズと、前記ズームレンズによって形成された像を受光する固体撮像素子を有することを特徴とする撮像装置。
【発明の詳細な説明】
【技術分野】
【０００１】
本発明は、ズームレンズ及びそれを有する撮像装置に関し、特に放送用テレビカメラ、映画用カメラ、ビデオカメラ、デジタルスチルカメラ、銀塩写真用カメラなどに好適なものである。
【背景技術】
【０００２】
近年、テレビカメラや映画用カメラ、写真用カメラ、ビデオカメラなどの撮像装置には小型軽量で、広画角・高変倍比かつ高い光学性能を有したズームレンズが要望されている。特に、プロフェッショナルの動画撮影システムとしてのテレビ・映画用カメラに用いられているＣＣＤやＣＭＯＳなどの撮像デバイスは、撮像範囲全体が略均一の解像力を有している。そのため、これを用いるズームレンズに対しては、画面中心から画面周辺まで解像力が略均一であることが要求されている。また、機動性や操作性を重視した撮影形態に対して小型軽量化も要求されている。
【０００３】
広画角・高変倍比のズームレンズとして、正の屈折力の第１レンズ群、負の屈折力の第２レンズ群、負の屈折力の第３レンズ群、負の屈折力の第４レンズ群、正の屈折力の第５レンズ群からなる５群ズームレンズが知られている。
【０００４】
特許文献１では、広角端から望遠端へのズーミングに際して、変倍用の第２レンズ群、変倍用の第３レンズ群の間隔を広角端および望遠端において狭め、中間のズーミングポジションでは広げる軌跡を規定している。この軌跡により、第１レンズ群の小型化を図っている。特許文献２では、広角端から望遠端へのズーミングに際して、変倍用の第２レンズ群、変倍用の第３レンズ群の間隔を広角端で広げることを規定している。これにより、第２群の移動量の低減を図り、変倍部の小型化をしている。
【先行技術文献】
【特許文献】
【０００５】
【特許文献１】特開平７−１３０７５号公報
【特許文献２】特開２０１１−８１０６３号公報
【発明の概要】
【発明が解決しようとする課題】
【０００６】
前述した５群ズームレンズにおいて、大口径比化及び高変倍比化を維持しつつ、全ズーム範囲にわたり高い光学性能を得るには第２、第３レンズ群の屈折力やズーミングの際の移動条件等を適切に設定することが重要となる。特に、５群ズームレンズにおいて、小型化を図りつつ、高変倍比化を図るには第２、３、４レンズ群の屈折力を適切に設定することが重要となる。また、第２、３、４レンズ群の移動量を低減することが重要となる。これらの構成を適切に設定しないと、小型化を図りつつ、高変倍比で全ズーム範囲にわたり高い光学性能のズームレンズを得るのが難しくなってくる。
【０００７】
特許文献１では、第２レンズ群、第３レンズ群の間隔を広角端および望遠端において狭め、中間のズーミングポジションでは間隔を広げる軌跡にすることで、第１レンズ群の小型化を達成している。しかし、高変倍比化となるズームの軌跡となっていない。
【０００８】
特許文献２では、第２レンズ群、第３レンズ群の間隔を広角端で広げることによって、第２レンズ群の移動量の低減を図り、高い変倍比を維持し、ズーム部の小型化を達成している。しかし、第２レンズ群、第３レンズ群の間隔を広角端で広く、入射瞳が像側に位置するため、第１レンズ群のレンズ径が大型化する。
【０００９】
そこで、本発明の目的は、高倍率化、小型軽量化の両立に加え、良好な光学性能を達成することを可能としたズームレンズを提供することにある。
【課題を解決するための手段】
【００１０】
上記の目的を達成するために、本発明に係るズームレンズは、
物体側から像側へ順に、変倍のためには不動の正の屈折力の第１レンズ群、変倍に際して移動する負の屈折力の第２レンズ群、変倍に際して移動する負の屈折力の第３レンズ群、変倍に際して移動する負の屈折力の第４レンズ群、変倍のためには不動の正の屈折力の第５レンズ群から構成されるズームレンズにおいて、
該第２レンズ群と該第３レンズ群の焦点距離をそれぞれｆ２、ｆ３とし、
該第２レンズ群と該第３レンズ群の望遠端における間隔をＬ２ｔとし、
該ズームレンズの変倍比をＺとし、
広角端からの変倍比がＺ０．６からＺ０．９５までの望遠側のズーム域における該第２レンズ群と該第３レンズ群の空気間隔の最小値をＬ２ｔｍｉｎとするとき、
０＜Ｌ２ｔｍｉｎ／Ｌ２ｔ＜１
０．３＜ｆ３／ｆ４＜１．２
を満足することを特徴とする。
【発明の効果】
【００１１】
本発明によれば、高倍率化、小型軽量化の両立に加え、良好な光学性能を達成することを可能としたズームレンズを提供することができる。
【図面の簡単な説明】
【００１２】
【図１】実施例１のズームレンズの広角端におけるレンズ断面図である。
【図２（Ａ）】実施例１の広角端における収差図である。
【図２（Ｂ）】実施例１の焦点距離７２．９ｍｍにおける収差図である。
【図２（Ｃ）】実施例１の望遠端における収差図である。
【図３】実施例２のズームレンズの広角端におけるレンズ断面図である。
【図４（Ａ）】実施例２の広角端における収差図である。
【図４（Ｂ）】実施例２の焦点距離８４．４ｍｍにおける収差図である。
【図４（Ｃ）】実施例２の望遠端における収差図である。
【図５】実施例３のズームレンズの広角端におけるレンズ断面図である。
【図６（Ａ）】実施例３の広角端における収差図である。
【図６（Ｂ）】実施例３の焦点距離８７．９ｍｍにおける収差図である。
【図６（Ｃ）】実施例３の望遠端における収差図である。
【図７】実施例４のズームレンズの広角端におけるレンズ断面図である。
【図８（Ａ）】実施例４の広角端における収差図である。
【図８（Ｂ）】実施例４の焦点距離１００．０ｍｍにおける収差図である。
【図８（Ｃ）】実施例４の望遠端における収差図である。
【図９】実施例５のズームレンズの広角端におけるレンズ断面図である。
【図１０（Ａ）】実施例５の広角端における収差図である。
【図１０（Ｂ）】実施例５の焦点距離１００．０ｍｍにおける収差図である。
【図１０（Ｃ）】実施例５の望遠端における収差図である。
【図１１】本発明の近軸結像関係の概略図である。
【図１２】本発明のズーム時の軌跡を表した概略図である。
【図１３】望遠端において第２レンズ群と第３レンズ群の間隔を広げない場合の各群の軌跡を表した概略図である。
【図１４】本発明の撮像装置の要部概略図である。
【発明を実施するための形態】
【００１３】
以下、本発明を実施するための形態について、図面を参照しながら説明する。
【００１４】
以下に、本発明のズームレンズ及びそれを有する撮像装置の実施例について説明する。
【００１５】
本発明のズームレンズは、物体側から像側へ順にズーミングのためには不動で、合焦のために移動する正の屈折力の第１レンズ群、変倍用の負の屈折力の第２レンズ群、変倍用の負の屈折力の第３レンズ群を有している。更に変倍に伴う像面変動を補正する負の屈折力の第４レンズ群、ズーミングのためには不動の正の屈折力の第５レンズ群から構成されている。広角端から望遠端へのズーミングに際して、第２、第３レンズ群は互いに異なった軌跡で像側に移動する。フォーカスは第１レンズ群の一部または全部を移動して行っている。ここでズーミングのためには不動とは、ズーミングを目的として移動しないが、例えばフォーカスに際しては移動することがあり得ることである。
【００１６】
図１は本発明の実施例１としての数値実施例１の広角端で、無限遠物体に合焦している時のレンズ断面図である。図２（Ａ）、（Ｂ）、（Ｃ）は、数値実施例１の広角端、ｆ＝７２．９ｍｍ、望遠端（長焦点距離端）における無限遠物体に合焦している時の縦収差図である。
【００１７】
図３は本発明の実施例２としての数値実施例１の広角端で、無限遠物体に合焦している時のレンズ断面図である。図４（Ａ）、（Ｂ）、（Ｃ）は、数値実施例２の広角端、ｆ＝８４．４ｍｍ、望遠端（長焦点距離端）における無限遠物体に合焦している時の縦収差図である。
【００１８】
図５は本発明の実施例３としての数値実施例１の広角端で、無限遠物体に合焦している時のレンズ断面図である。図６（Ａ）、（Ｂ）、（Ｃ）は、数値実施例３の広角端、ｆ＝８７．９ｍｍ、望遠端（長焦点距離端）における無限遠物体に合焦している時の縦収差図である。
【００１９】
図７は本発明の実施例４としての数値実施例１の広角端で、無限遠物体に合焦している時のレンズ断面図である。図８（Ａ）、（Ｂ）、（Ｃ）は、数値実施例４の広角端、ｆ＝１００．０ｍｍ、望遠端（長焦点距離端）における無限遠物体に合焦している時の縦収差図である。
【００２０】
図９は本発明の実施例５としての数値実施例１の広角端で、無限遠物体に合焦している時のレンズ断面図である。図１０（Ａ）、（Ｂ）、（Ｃ）は、数値実施例５の広角端、ｆ＝１００．０ｍｍ、望遠端（長焦点距離端）における無限遠物体に合焦している時の縦収差図である。
【００２１】
縦収差図において、球面収差はｅ線（実線）、ｇ線（点線）を示している。非点収差はｅ線のメリディオナル像面（点線）とサジタル像面（実線）を示している。倍率色収差はｇ線（点線）によって表している。ＦｎｏはＦナンバー、ωは撮影半画角を表す。縦収差図では、球面収差は０．４ｍｍ、非点収差は０．４ｍｍ、歪曲は１０％、倍率色収差は０．１ｍｍのスケールで描かれている。
【００２２】
本発明の５群ズームレンズにおいて、所定のズーム位置ｍにおける焦点距離ｆｍは、第１レンズ群の焦点距離をｆ１、第Ｎレンズ群（Ｎ＝１〜５）のズーム位置ｍにおける横倍率をβＮｍとしたとき、以下の式で表すことができる。
【００２３】
ｆｍ＝ｆ１×（β２ｍ×β３ｍ×β４ｍ×β５ｍ）・・・（Ｘ）
ただし、各横倍率および焦点距離は、物体距離無限遠での値である。併せてズームレンズであることから、変倍にかかわらず、変倍群による像点が一定であるという条件を満たす必要がある。
【００２４】
本発明において、第５群レンズ群は変倍の際に不動であることから横倍率β５ｍは変倍に際し、変化しない。所定のｆｍを得るための条件（β２ｍ×β３ｍ×β４ｍ）は一義的には決まらない。したがって、所定の範囲で任意の各変倍移動群の移動軌跡を変更可能である。
【００２５】
本発明の５群ズームレンズにおいて、ズーム位置ｍにおいて第２レンズ群Ｕ２と第３レンズ群Ｕ３の間隔を変化させたときの第４レンズ群Ｕ４のパワー配置を以下に説明する。
【００２６】
一般に、焦点距離がそれぞれｆａ、ｆｂであるレンズａとレンズｂの合成焦点距離ｆａｂは、レンズ間の主点間隔をｅ’として以下の式（Ｙ）で表される。
【００２７】
１／ｆａｂ＝１／ｆａ＋１／ｆｂ−ｅ’×１／ｆａ×１／ｆｂ・・・（Ｙ）
式（Ｙ）により、ｆａおよびｆｂが負であり、かつ合成焦点距離ｆａｂが負となる条件においては、ｅ’が大きくなるとｆａｂの絶対値は小さくなり、ｅ’が小さくなるとｆａｂの絶対値は大きくなる。
【００２８】
また、レンズの近軸結像関係は、以下の式（Ｚ）で表される。ここで、ｆはレンズの焦点距離、ｓはレンズの物点、ｓ’はレンズの像点である。
【００２９】
１／ｓ’＝１／ｓ＋１／ｆ・・・（Ｚ）
さらに、ｆ＜０、かつｓ＜０のときの式（Ｚ）を表すと、図１１となる。ｆ＜０、かつｓ＜０である場合、図１１（Ｂ）のようにｆの絶対値を増大させるとｓ’の絶対値は増大し、図１１（Ｃ）のようにｆの絶対値を減少させるとｓ’の絶対値は減少する。
【００３０】
本発明では、広角端から望遠端にかけて第２レンズ群Ｕ２と第３レンズ群Ｕ３の合成焦点距離は負であり、Ｕ２とＵ３の合成レンズに関して、物点は像側（ｓ＞０）、像点は物体側（ｓ’＜０）である。よって、Ｕ２とＵ３の間隔を狭めると、式（Ｙ）によりＵ２とＵ３の合成焦点距離の絶対値は大きくなる。したがって、Ｕ２とＵ３による像点は式（Ｚ）により物体側に移動する。このとき、ズームレンズとして像点を補正するために、第４レンズ群Ｕ４は像側に移動する。同様に、Ｕ２とＵ３の間隔を広げると、Ｕ４は物体側に移動する。
【００３１】
そこで本発明では、望遠側においてＵ３とＵ４が最も離れる状態となる望遠端において、Ｕ２とＵ３の間隔を広げることによって、Ｕ４が像側に繰り出すことを抑制する。一方、望遠側でＵ３とＵ４が最も近づくズーム位置である広角端からの変倍比がＺ０．６からＺ０．９５において、望遠端と比較してＵ２とＵ３の間隔を狭める軌跡とする。これによりＵ３とＵ４が最も近づく配置でＵ４が像側に位置し、Ｕ３とＵ４の間隔を適切に保つことができる。
【００３２】
具体的には、図１２のような軌跡をとる。上記レンズ配置をとることにより、高倍率化と小型軽量化を両立させることができる。また、図１３に図１２との比較として望遠側でＵ２とＵ３の間隔を広げない場合の軌跡を示す。図１３では、Ｕ２とＵ３の間隔を望遠側において広げない場合、望遠側においてＵ４の像側への繰り出し量が大きくなることが示されている。そのため、Ｕ４と絞りＳＰ間の間隔を広げる必要があり、ズームレンズの小型軽量化に適さない。
【００３３】
各実施例のズームレンズにおいて、第２レンズ群と第３レンズ群の焦点距離をそれぞれｆ２、ｆ３とし、
第２レンズ群と第３レンズ群の望遠端における間隔をＬ２ｔとする。
また、ズームレンズの変倍比をＺとし、広角端からの変倍比がＺ０．６からＺ０．９５までの望遠側のズーム域における第２レンズ群と第３レンズ群の空気間隔の最小値をＬ２ｔｍｉｎとする。そのとき、各実施例のズームレンズでは、
０＜Ｌ２ｔｍｉｎ／Ｌ２ｔ＜１・・・（１）
０．３＜ｆ３／ｆ４＜１．２・・・（２）
なる条件を満足している。
【００３４】
条件式（１）は、変倍時に第４レンズ群が物体側に位置される望遠側における第２レンズ群と第３レンズ群との最小間隔Ｌ２ｔｍｉｎと、望遠端における第２レンズ群と第３レンズ群との間隔Ｌ２ｔの比に関する式である。条件式（１）を満たすことで、高倍率化と小型軽量化を両立することができる。
【００３５】
条件式（１）の上限を超えると、望遠端において第２レンズ群と第３レンズ群の間隔が狭くなりすぎ、変倍時に第４レンズ群の像側への繰り出し量が大きくなる。高倍率化のためには移動群が駆動するスペースを確保する必要があるため、小型軽量化に不利であり、好ましくない。条件式（１）の下限を超えると、第２レンズ群と第３レンズ群との間隔がズーム中間でゼロとなるために、駆動不可となる。
【００３６】
条件式（２）は、第３レンズ群の焦点距離ｆ３と第４レンズ群の焦点距離ｆ４の比に関する式である。条件式（２）を満たすことで、高倍率化と小型軽量化を両立するとともに、高い光学性能を得ることができる。条件式（２）の上限を超えると、第４レンズ群の焦点距離に対し、第３レンズ群の焦点距離が大きくなりすぎ、第３レンズ群の屈折力が小さくなる。第３レンズ群の屈折力が小さいと、第４レンズ群の移動量を低減する効果が小さくなり、好ましくない。条件式（２）の上限を超えると、第３レンズ群の焦点距離が小さくなりすぎ、第３レンズ群が大きな屈折力を持ってしまい、変倍時の収差変動が大きくなりすぎるため、好ましくない。
【００３７】
更に好ましくは、（１）〜（２）式は次の如く設定するのが良い。
【００３８】
０．２＜Ｌ２ｔｍｉｎ／Ｌ２ｔ＜０．８５・・・（１ａ）
０．４５＜ｆ３／ｆ４＜０．９・・・（２ａ）
更に、広角端における全系の焦点距離をｆｗとしたとき、
−２０．０＜ｆ４／ｆｗ＜−２．０・・・（３）
−７．０＜ｆ３／ｆｗ＜−１．２・・・（４）
なる条件の内１以上を満足するのが良い。
【００３９】
条件式（３）は、第４レンズ群の焦点距離ｆ４と広角端における全系の焦点距離のｆｗの比に関する式である。条件式（３）を満足することで、高倍率化と小型軽量化を両立するとともに、高い光学性能を得ることができる。条件式（３）の上限を超えると、第４レンズ群の焦点距離が小さくなりすぎ、第４レンズ群が大きな屈折力を持ってしまい、変倍時の収差変動が大きくなりすぎるため、好ましくない。条件式（３）の下限を超えると、第４レンズ群の焦点距離が大きくなりすぎ、変倍時の像点補正のために大きく移動する必要があり、小型軽量化や高倍率化に不利となり、好ましくない。
【００４０】
条件式（４）は、第３レンズ群の焦点距離ｆ３と広角端における全系の焦点距離ｆｗの比に関する式である。条件式（４）を満足することで、高倍率化と小型軽量化を両立するとともに、高い光学性能を得ることができる。条件式（４）の上限を超えると、第３レンズ群の焦点距離が小さくなりすぎ、第３レンズ群が大きな屈折力を持ってしまい、変倍時の収差変動が大きくなりすぎるため、好ましくない。条件式（４）の下限を超えると、第３レンズ群の焦点距離が大きくなりすぎ、高倍率化を達成するためには変倍時に大きく移動する必要があり、小型軽量化に不利であり、好ましくない。
【００４１】
更に好ましくは、（３）〜（４）式は次の如く設定するのが良い。
【００４２】
−１２．０＜ｆ４／ｆｗ＜−３．５・・・（３ａ）
−５．５＜ｆ３／ｆｗ＜−２．０・・・（４ａ）
なる条件の内１以上を満足するのが良い。
【００４３】
更に、第２群の焦点距離をｆ２としたとき、
０．３＜ｆ２／ｆ３＜１２・・・（５）
なる条件の内１以上を満足するのが良い。
【００４４】
条件式（５）は、第２レンズ群の焦点距離ｆ２と第３レンズ群の焦点距離ｆ３との比に関する式である。条件式（５）を満足することで、高倍率化と小型軽量化を両立するとともに、高い光学性能を得ることができる。条件式（５）の上限を超えると、第２レンズ群に対して、第３レンズ群の焦点距離が小さくなりすぎ、第３レンズ群が大きなが大きな屈折力を持ってしまい、第２レンズ群の径が増大し、小型軽量化に不利であり、好ましくない。条件式（５）の下限を超えると、第２レンズ群の焦点距離が小さくなりすぎ、第２レンズ群と第３レンズ群の合成焦点距離が小さくなりすぎ、変倍時の収差変動が大きくなりすぎるため、好ましくない。
【００４５】
更に好ましくは、（５）式は次の如く設定するのが良い。
【００４６】
０．８＜ｆ２／ｆ３＜８．０・・・（５ａ）
なる条件の内１以上を満足するのが良い。
【００４７】
更には、第２レンズ群Ｕ２は少なくとも１つの負レンズと１つの正レンズからなるレンズを有することが好ましい。第２レンズ群Ｕ２に凹レンズと凸レンズを用いることで、変倍による諸収差の変動、特に色収差の変動を効果的に補正することが容易となる。
【００４８】
以下に本発明のズームレンズの数値実施例１〜５のレンズ構成の特徴を説明する。各実施例のレンズ断面図において、ＩＰは像面であり、固体撮像素子の撮像面に相当している。
【００４９】
［実施例１］
第１の実施例に示すズームレンズに関して、変倍に際しての移動レンズ群である第２レンズ群Ｕ２、第３レンズ群Ｕ３、第４レンズ群Ｕ４について主に説明する。
【００５０】
第２レンズ群Ｕ２は、数値実施例１において第１８レンズ面〜第２３レンズ面に対応し、物体側から像側へ順に、３枚のレンズで構成されている。
【００５１】
第３レンズ群Ｕ３は、数値実施例１において第２４レンズ面〜第２５レンズ面に対応し、物体側から像側へ順に、１枚のレンズで構成されている。
【００５２】
第４レンズ群Ｕ２は、数値実施例１において第２６レンズ面〜第２８レンズ面に対応し、物体側から像側へ順に、２枚のレンズで構成されている。
【００５３】
非球面は第１レンズ、第４レンズに用いられている。主に広角側の歪曲収差や像面湾曲の補正およびフォーカシング時の収差変動の補正を行っている。
【００５４】
第１の実施例の各条件式対応値を表１に示す。数値実施例１はいずれの条件式も満足しており、広角化と高倍率化、小型軽量化を達成しつつ、良好な光学性能を有するズームレンズを実現している。
【００５５】
なお、本発明における接合レンズは微小な空気間隔を有する分離レンズとして存在していてもよい。これは本発明においてレンズ形状としての変形及び変更の想定内であり、以下の全ての実施例においても同様である。
【００５６】
［実施例２］
第２の実施例に示すズームレンズに関して、変倍に際しての移動レンズ群である第２レンズ群Ｕ２、第３レンズ群Ｕ３、第４レンズ群Ｕ４について主に説明する。
【００５７】
第２レンズ群Ｕ２は、数値実施例２において第９レンズ面〜第１５レンズ面に対応し、物体側から像側へ順に、４枚のレンズで構成されている。
【００５８】
第３レンズ群Ｕ３は、数値実施例２において第１６レンズ面〜第１７レンズ面に対応し、物体側から像側へ順に、１枚のレンズで構成されている。
【００５９】
第４レンズ群Ｕ２は、数値実施例２において第１８レンズ面〜第２０レンズ面に対応し、物体側から像側へ順に、２枚のレンズで構成されている。非球面レンズは用いていない。
【００６０】
第２の実施例の各条件式対応値を表１に示す。数値実施例２はいずれの条件式も満足しており、広角化と高倍率化、小型軽量化を達成しつつ、良好な光学性能を有するズームレンズを実現している。
【００６１】
［実施例３］
第３の実施例に示すズームレンズに関して、変倍に際しての移動レンズ群である第２レンズ群Ｕ２、第３レンズ群Ｕ３、第４レンズ群Ｕ４について主に説明する。
【００６２】
第２レンズ群Ｕ２は、数値実施例３において第１８レンズ面〜第２３レンズ面に対応し、物体側から像側へ順に、３枚のレンズで構成されている。
【００６３】
第３レンズ群Ｕ３は、数値実施例３において第２４レンズ面〜第２６レンズ面に対応し、物体側から像側へ順に、２枚のレンズで構成されている。
【００６４】
第４レンズ群Ｕ２は、数値実施例３において第２７レンズ面〜第２９レンズ面に対応し、物体側から像側へ順に、２枚のレンズで構成されている。
【００６５】
非球面は第１レンズ、第４レンズに用いられている。主に広角側の歪曲収差や像面湾曲の補正およびフォーカシング時の収差変動の補正を行っている。
【００６６】
第３の実施例の各条件式対応値を表１に示す。数値実施例３はいずれの条件式も満足しており、広角化と高倍率化、小型軽量化を達成しつつ、良好な光学性能を有するズームレンズを実現している。
【００６７】
［実施例４］
第４の実施例に示すズームレンズに関して、変倍に際しての移動レンズ群である第２レンズ群Ｕ２、第３レンズ群Ｕ３、第４レンズ群Ｕ４について主に説明する。
【００６８】
第２レンズ群Ｕ２は、数値実施例４において第９レンズ面〜第１５レンズ面に対応し、物体側から像側へ順に、４枚のレンズで構成されている。
【００６９】
第３レンズ群Ｕ３は、数値実施例４において第１６レンズ面〜第１７レンズ面に対応し、物体側から像側へ順に、１枚のレンズで構成されている。
【００７０】
第４レンズ群Ｕ２は、数値実施例４において第１８レンズ面〜第２０レンズ面に対応し、物体側から像側へ順に、２枚のレンズで構成されている。非球面レンズは用いていない。
【００７１】
第４の実施例の各条件式対応値を表１に示す。数値実施例４はいずれの条件式も満足しており、広角化と高倍率化、小型軽量化を達成しつつ、良好な光学性能を有するズームレンズを実現している。
【００７２】
［実施例５］
第５の実施例に示すズームレンズに関して、変倍に際しての移動レンズ群である第２レンズ群Ｕ２、第３レンズ群Ｕ３、第４レンズ群Ｕ４について主に説明する。
【００７３】
第２レンズ群Ｕ２は、数値実施例５において第１３レンズ面〜第１７レンズ面に対応し、物体側から像側へ順に、３枚のレンズで構成されている。
【００７４】
第３レンズ群Ｕ３は、数値実施例５において第１８レンズ面〜第１９レンズ面に対応し、物体側から像側へ順に、１枚のレンズで構成されている。
【００７５】
第４レンズ群Ｕ２は、数値実施例５において第２０レンズ面〜第２２レンズ面に対応し、物体側から像側へ順に、２枚のレンズで構成されている。非球面レンズは用いていない。
【００７６】
第５の実施例の各条件式対応値を表１に示す。数値実施例５はいずれの条件式も満足しており、広角化と高倍率化、小型軽量化を達成しつつ、良好な光学性能を有するズームレンズを実現している。
【００７７】
図１４は、本発明の実施例１〜５のズームレンズを撮影光学系として用いた撮像装置（テレビカメラシステム）の要部概略図である。図１４において１０１は実施例１〜５のいずれかのズームレンズである。１２４はカメラである。ズームレンズ１０１はカメラ１２４に対して着脱可能となっている。１２５はカメラ１２４にズームレンズ１０１を装着することで構成される撮像装置である、ズームレンズ１０１は第１群Ｆ、変倍部ＬＺ、結像用の第５レンズ群Ｒを有している。第１レンズ群Ｆは合焦用レンズ群が含まれている。
【００７８】
変倍部ＬＺは変倍のために光軸上を移動する第２レンズ群と第３レンズ群と、変倍に伴う像面の変動を補正するために光軸上を移動する第４レンズ群が含まれている。ＳＰは開口絞りである。第５レンズ群Ｒは光路中より挿抜可能なレンズユニットＩＥ’、ＩＥを有している。レンズユニットＩＥ、ＩＥ’を切り替えることで、ズームレンズ１０１の全系の焦点距離範囲を変位している。１１４、１１５は各々第１群Ｆ、変倍部のＬＺを光軸方向に駆動するヘリコイドやカム等の駆動機構である。１１６〜１１８は駆動機構１１４、１１５および開口絞りＳＰを電気駆動するモータ（駆動手段）である。
【００７９】
１１９〜１２１は、第１レンズ群Ｆや変倍部ＬＺの光軸上の位置や、開口絞りＳＰの絞り径を検出するためのエンコーダやポテンショメータ、あるいはフォトセンサなどの検出器である。カメラ１２４において、１０９はカメラ１２４内の光学フィルタや色分解光学系に相当するガラスブロック、１１０はズームレンズ１０１によって形成された被写体像を受光するＣＣＤセンサやＣＭＯＳセンサなどの固体撮像素子（光電変換素子）である。また、１１１、１２２はカメラ１２４及びズームレンズ１０１の各種の駆動を制御するＣＰＵである。
【００８０】
このように本発明のズームレンズをテレビカメラに適用することにより、高い光学性能を有する撮像装置を実現している。
【００８１】
以上、本発明の好ましい実施形態について説明したが、本発明はこれらの実施形態に限定されず、その要旨の範囲内で種々の変形及び変更が可能である。
【００８２】
次に本発明の実施例１〜５に対応する数値実施例１〜５を示す。各数値実施例において、ｉは物体側からの面の順序を示し、ｒｉは物体側より第ｉ番目の面の曲率半径、ｄｉは物体側より第ｉ面と第ｉ＋１面の間隔、ｎｄｉとνｄｉは第ｉ番目の光学部材の屈折率とアッベ数である。焦点距離、Ｆナンバー、画角は、それぞれの無限遠物体に焦点を合わせたときの値を表している。ＢＦはレンズの最終面から像面までの距離である。
【００８３】
尚、非球面形状は、光軸方向の座標をｘ、光軸と垂直方向の座標をｙ、基準の曲率半径をＲ，円錐常数ｋ、ｎ次の非球面係数をＡｎとして、以下の式で表される。但し、「ｅ−ｘ」は「×１０−ｘ」を意味している。尚、非球面を有するレンズ面には各表中の面番号の左側に＊しるしを付している。
【００８４】
ｘ＝（ｙ２／ｒ）／｛１＋（１−ｋ・ｙ２／ｒ２）０．５｝＋Ａ４・ｙ４＋Ａ６・ｙ６＋Ａ８・ｙ８＋Ａ１０・ｙ１０＋Ａ１２・ｙ１２＋Ａ１４・ｙ１４＋Ａ１６・ｙ１６
また、各実施例の第２レンズ群、第３レンズ群の軌跡は、以下の式で表す。
【００８５】
ｍ２＝Ｂ１・ｍ＋Ｂ２・ｍ２＋Ｂ３・ｍ３＋Ｂ４・ｍ４＋Ｂ５・ｍ５＋Ｂ６・ｍ６
ｍ３＝Ｃ１・ｍ＋Ｃ２・ｍ２＋Ｃ３・ｍ３＋Ｃ４・ｍ４＋Ｃ５・ｍ５＋Ｃ６・ｍ６
式中におけるｍは変倍時に移動する各群の広角端からの移動量を、広角端から望遠端までの移動量で規格化した値であり、広角端で０、望遠端で１となる。ｍ２は第２レンズ群の広角端からの移動量、ｍ３は第３レンズ群の広角端からの移動量を表す。Ｂｎ、およびＣｎはｎ次の移動量係数である。
【００８６】
本発明においては第２、第３レンズ群の軌跡を規定し、第４レンズ群で像面位置の補正を行っているが、像面位置の補正を担うレンズは第２、第３、第４レンズ群いずれでも本発明が成立することは言うまでもない。また、各実施例と前述した各条件式との対応を表１に示す。
数値実施例１
単位 mm
面データ
面番号       r        d      nd         vd       有効径
1*       300.709    2.70   1.77250    49.6       89.18
2         46.355   24.48                         72.40
3       -145.744    2.20   1.80100    35.0       71.56
4        307.402    0.90                         72.04
5        126.058    7.31   1.95906    17.5       76.95
6        939.381    0.57                         76.54
7*       130.079   12.50   1.60311    60.6       75.60
8       -125.968    8.84                         74.62
9        -59.019    4.00   1.84666    23.8       71.48
10        -64.351   10.44                         72.72
11        136.661    1.40   1.84666    23.8       64.82
12         58.482   12.77   1.49700    81.5       62.73
13       2603.467    0.20                         62.34
14        151.966    9.26   1.49700    81.5       61.89
15       -113.993    0.20                         61.46
16          ∞       3.80   1.77250    49.6       58.43
17       -214.144  (可変)                         57.74
18        115.194    1.20   1.88300    40.8       34.92
19         37.365    5.96                         32.00
20        -85.150    1.20   1.75500    52.3       30.77
21         42.271    6.80                         29.38
22         53.121    5.82   1.66680    33.0       29.70
23        -56.710  (可変)                         29.45
24        -56.710    1.00   1.59522    67.7       28.88
25        395.643  (可変)                         29.19
26        -57.068    1.02   1.91082    35.3       29.39
27         69.242    4.53   1.84666    23.8       31.07
28       -120.523  (可変)                         31.73
29(絞り)    ∞       1.50                         37.00
30         96.503    5.78   1.77250    49.6       38.70
31        -95.297    0.12                         38.85
32         62.356    4.75   1.77250    49.6       37.96
33        864.419    1.82                         37.22
34         45.206    8.08   1.48749    70.2       34.00
35        -51.622    1.61   1.88300    40.8       32.49
36         91.930   12.00                         30.45
37       -254.910    3.61   1.60311    60.6       26.27
38        -45.202    0.20                         25.84
39         29.573    4.46   1.48749    70.2       22.48
40       -178.804    1.81   1.80518    25.4       20.94
41         20.566    2.08                         19.47
42         32.250    5.46   1.48749    70.2       19.81
43        -26.725    1.50   2.00069    25.5       19.76
44         66.649    7.81                         20.53
45        194.229    5.86   1.92286    18.9       26.10
46        -26.419    1.50   2.00069    25.5       26.64
47        -48.762  (可変)                         27.66
像面        ∞   
非球面データ
第1面
K = 4.05071e+001  A 4= 4.40881e-007  A 6=-3.04812e-010  A 8= 2.20237e-013  A10=-1.52315e-016  A12= 2.65203e-020  A14= 1.58265e-023  A16=-7.04684e-027  
第7面
K =-1.28558e+001  A 4=-4.08902e-008  A 6=-6.63063e-011  A 8= 8.09762e-014  A10= 4.14213e-017  A12=-1.58305e-019  A14= 1.34525e-022  A16=-3.66008e-026  
各種データ
ズーム比      6.00 
広角     中間     望遠
焦点距離      21.00    72.93   126.00  
Fナンバー      2.80     2.80     3.65  
画角          35.54    11.62     6.79  
像高          15.00    15.00    15.00  
レンズ全長   313.79   313.79   313.79  
BF            44.68    44.68    44.68  
d17            0.80    48.36    59.09  
d23            1.50     2.00     6.00  
d25           54.33     5.60     3.95  
d28           13.42    14.09     1.01  
d47           44.68    44.68    44.68  
入射瞳位置    56.36   118.31   156.62  
射出瞳位置   -73.52   -73.52   -73.52  
前側主点位置  73.63   146.24   148.30  
後側主点位置  23.68   -28.25   -81.32  
ズームレンズ群データ
群  始面    焦点距離  レンズ構成長  前側主点位置  後側主点位置
1    1      65.28       101.59        66.68         39.37
2   18    -103.18        20.98       -22.34        -52.96
3   24     -82.97         1.00         0.08         -0.55
4   26    -105.04         5.56        -2.17         -5.26
5   29      47.26        69.94         6.66        -65.76
ズーム軌跡データ
A1=57.626   A2=0.132    A3= 0.136
A4=0.134    A5=0.130    A6=0.126
B1=54.720   B2=5.493    B3=-0.812
B4=-6.301   B5=-2.182   B6=11.868
単レンズデータ
レンズ  始面  焦点距離
1       1    -70.93
2       3   -122.34
3       5    149.15
4       7    107.68
5       9   -1273.07
6      11   -120.55
7      12    119.82
8      14    132.20
9      16    275.89
10      18    -62.72
11      20    -37.09
12      22     41.73
13      24    -82.97
14      26    -33.99
15      27     52.00
16      30     62.60
17      32     86.36
18      34     50.66
19      35    -37.03
20      37     90.16
21      39     52.25
22      40    -22.60
23      42     30.81
24      43    -18.74
25      45     25.22
26      46    -59.08
数値実施例２
単位 mm
面データ
面番号       r        d      nd         vd       有効径
1        284.251    2.40   1.85026    32.3      101.02
2        131.881    0.20                         98.21
3        129.456   13.97   1.43875    94.9       98.19
4       -524.920    0.10                         97.65
5        135.958   10.29   1.43875    94.9       95.54
6       2978.236    0.10                         95.01
7        102.760    9.43   1.49700    81.5       91.10
8        324.440  (可変)                         90.00
9        228.961    1.50   2.00100    29.1       40.78
10         39.033    6.31                         36.42
11       -104.137    6.12   1.92286    18.9       36.28
12        -31.635    1.70   1.73800    32.3       35.96
13         60.078    0.50                         32.76
14         44.969    5.93   1.92286    18.9       32.54
15       -151.123  (可変)                         31.61
16        -56.810    1.30   2.00330    28.3       30.06
17         98.806  (可変)                         29.08
18        -33.212    1.20   1.83481    42.7       21.67
19         29.671    3.60   2.00069    25.5       23.85
20        121.805  (可変)                         24.32
21(絞り)    ∞       1.30                         35.18
22          ∞       5.28   1.62041    60.3       36.26
23        -48.212    0.20                         37.03
24         85.713    3.47   1.51823    58.9       38.76
25       1265.184    0.20                         38.79
26        115.852    7.96   1.48749    70.2       38.87
27        -43.157    1.50   1.83400    37.2       38.74
28       -129.457   42.51                         39.32
29         37.913    8.42   1.51823    58.9       38.13
30       -114.552    0.69                         37.44
31       -265.864    1.50   1.79952    42.2       36.06
32         26.587    9.73   1.51823    59.0       33.63
33        -74.084    0.30                         33.50
34         63.902    5.35   1.48749    70.2       31.99
35        -75.264    1.50   1.78590    44.2       31.30
36       -177.913    2.43                         30.65
37        -52.465    2.00   1.51823    58.9       30.09
38       -200.500    5.50                         29.44
39          ∞      37.50   1.60342    38.0       40.00
40          ∞      20.25   1.51633    64.2       40.00
41          ∞     (可変)                         40.00
像面        ∞   
各種データ
ズーム比     38.00 
広角     中間     望遠
焦点距離      11.00    84.38   418.00  
Fナンバー      2.00     2.00     4.30  
画角          26.56     3.73     0.75  
像高           5.50     5.50     5.50  
レンズ全長   348.20   348.20   348.20  
BF            10.09    10.09    10.09  
d 8            1.00    77.34    96.42  
d15            2.41     4.73     7.84  
d17           98.80    16.29     9.34  
d20           13.67    17.52     2.28  
d41           10.09    10.09    10.09  
入射瞳位置    68.30   573.11   1751.35  
射出瞳位置  -284.29  -284.29  -284.29  
前側主点位置  78.89   633.31   1575.81  
後側主点位置  -0.91   -74.30  -407.91  
ズームレンズ群データ
群  始面    焦点距離  レンズ構成長  前側主点位置  後側主点位置
1    1     140.00        36.49        12.90        -11.95
2    9    -200.00        22.06       -36.50        -62.97
3   16     -35.50         1.30         0.23         -0.41
4   18     -35.52         4.80         0.58         -1.82
5   21      50.05       157.58        38.47       -117.98
ズーム軌跡データ
A1=95.422    A2=0           A3=0 
A4=0         A5=0           A6=0
B1=98.754    B2=-7.875      B3=0.895
B4=12.457    B5=0.255       B6=-3.636
単レンズデータ
レンズ  始面  焦点距離
1       1   -289.35
2       3    237.64
3       5    323.52
4       7    297.51
5       9    -46.82
6      11     46.73
7      12    -27.66
8      14     37.64
9      16    -35.50
10      18    -18.51
11      19     38.09
12      22     77.40
13      24    176.52
14      26     65.36
15      27    -77.75
16      29     55.80
17      31    -29.99
18      32     38.89
19      34     71.56
20      35   -166.17
21      37   -137.20
22      39      0.00
23      40      0.00
数値実施例３
単位 mm
面データ
面番号       r        d      nd         vd       有効径
1*     -16537.341    2.70   1.81600    46.6       99.37
2         60.244   23.81                         84.09
3       -219.042    2.20   1.88300    40.8       83.78
4        691.671    0.99                         84.76
5        157.247    7.47   1.92286    18.9       87.09
6       1076.650    0.50                         86.91
7*        89.743   15.00   1.49700    81.5       86.21
8       -285.628    1.35                         85.36
9        566.490    6.28   1.62004    36.3       81.88
10      -1048.874   16.29                         80.35
11        243.262    2.00   1.80518    25.4       74.41
12         61.228   15.71   1.49700    81.5       71.97
13       -407.546    0.20                         72.03
14        133.896    6.18   1.61800    63.3       71.68
15       1271.554    0.20                         71.24
16        149.395    9.33   1.72916    54.7       69.85
17       -269.713  (可変)                         68.62
18         95.240    1.20   1.91082    35.3       38.05
19         29.163    9.83                         33.43
20        -69.462    1.20   1.75500    52.3       31.47
21         97.004    1.98                         30.76
22         48.414    6.80   1.72151    29.2       30.60
23        -45.977  (可変)                         30.05
24        -35.736    1.00   1.80400    46.6       28.08
25        121.864    2.30   1.95906    17.5       28.09
26        315.808  (可変)                         28.21
27        -51.917    4.83   1.67270    32.1       28.47
28        -23.245    1.50   1.69680    55.5       29.09
29       -546.223  (可変)                         31.49
30(絞り)    ∞       1.50                         39.79
31          ∞       4.76   1.77250    49.6       40.74
32        -73.745    0.10                         41.36
33         59.288    5.60   1.77250    49.6       42.50
34       1621.727    7.96                         42.07
35         56.011    8.60   1.48749    70.2       37.49
36        -60.691    1.60   1.88300    40.8       36.15
37        146.972   12.13                         34.81
38        167.165    5.69   1.60311    60.6       31.75
39        -63.402    0.10                         31.05
40         28.517    5.58   1.48749    70.2       26.97
41       -473.822    1.60   1.80518    25.4       25.25
42         24.992    1.62                         22.95
43         34.373    5.77   1.48749    70.2       23.00
44        -34.234    2.00   2.00069    25.5       22.65
45         63.980   10.00                         22.88
46        158.038    7.82   1.92286    18.9       27.51
47        -25.418    3.00   2.00069    25.5       27.99
48        -77.669  (可変)                         29.15
像面        ∞   
非球面データ
第1面
K =-1.20738e+006  A 4= 5.62164e-007  A 6=-1.47623e-010  A 8=-4.60245e-014  A10= 8.29717e-017  A12=-3.81519e-020  A14= 7.25010e-024  A16=-4.26524e-028  
第7面
K =-6.01672e+000  A 4= 1.93390e-007  A 6=-8.41976e-011  A 8= 7.32167e-014  A10=-4.89489e-017  A12= 3.48947e-020  A14=-1.75485e-023  A16= 3.62280e-027  
各種データ
ズーム比      8.00 
広角     中間     望遠
焦点距離      22.00    87.85   176.00  
Fナンバー      2.79     2.80     4.00  
画角          34.29     9.69     4.87  
像高          15.00    15.00    15.00  
レンズ全長   343.49   343.49   343.49  
BF            50.77    50.77    50.77  
d17            0.80    41.87    52.38  
d23            1.79     3.34     3.45  
d26           47.60     3.44     8.39  
d29           16.23    17.77     2.21  
d48           50.77    50.77    50.77  
入射瞳位置    64.11   146.54   219.97  
射出瞳位置   -83.32   -83.32   -83.32  
前側主点位置  82.50   176.84   164.97  
後側主点位置  28.77   -37.08  -125.23  
ズームレンズ群データ
群  始面    焦点距離  レンズ構成長  前側主点位置  後側主点位置
1    1      61.90       110.20        65.74         28.07
2   18    -450.03        21.02      -119.45       -186.93
3   24     -40.91         3.30         0.19         -1.53
4   27     -78.77         6.33        -0.16         -3.94
5   30      45.88        85.44         8.78        -72.46
ズーム軌跡データ
A1=47.950     A2=2.013     A3= 1.985
A4=1.081      A5=-0.016    A6=-1.443
B1=49.307     B2=-4.868    B3=20.816
B4=-1.720     B5=-20.017   B6=9.715
単レンズデータ
レンズ  始面  焦点距離
1       1    -73.18
2       3   -187.10
3       5    196.32
4       7    138.84
5       9    590.27
6      11   -101.19
7      12    108.00
8      14    240.75
9      16    132.53
10      18    -46.24
11      20    -53.20
12      22     33.44
13      24    -34.10
14      25    202.99
15      27     58.15
16      28    -34.74
17      31     95.01
18      33     79.16
19      35     61.03
20      36    -48.19
21      38     76.63
22      40     55.19
23      41    -29.17
24      43     36.06
25      44    -21.86
26      46     23.93
27      47    -38.52
数値実施例４
単位 mm
面データ
面番号       r        d      nd         vd       有効径
1        326.239    2.40   1.85026    32.3      118.02
2        146.070    2.44                        115.14
3        145.655   17.24   1.43875    94.9      115.44
4       -554.748    0.10                        115.03
5        149.946   13.55   1.43875    94.9      110.18
6       14080.078    0.10                        108.65
7        117.971   11.06   1.49700    81.5      101.68
8        382.983  (可変)                        100.08
9        156.723    1.50   2.00069    25.5       44.30
10         61.248    3.21                         41.03
11        226.352    7.54   1.92286    18.9       40.35
12        -46.216    1.70   1.95375    32.3       38.80
13         31.016    0.50                         32.23
14         29.269    4.63   1.92286    18.9       32.14
15         60.526  (可変)                         30.93
16        -47.067    1.30   1.75500    52.3       27.43
17        132.582  (可変)                         26.89
18        -39.444    3.79   1.92286    18.9       26.94
19        -24.467    1.50   1.80100    35.0       27.75
20       -947.511  (可変)                         29.91
21(絞り)    ∞       1.30                         36.77
22          ∞       4.77   1.62041    60.3       37.65
23        -59.037    0.20                         38.30
24        176.710    4.97   1.51823    58.9       39.36
25        -80.256    0.20                         39.47
26         65.896    8.63   1.48749    70.2       38.65
27        -48.273    2.00   1.83400    37.2       38.11
28        207.636   42.51                         37.65
29         74.302    7.92   1.51823    58.9       38.89
30        -68.159    1.00                         38.47
31         46.585    2.00   1.79952    42.2       34.21
32         25.270    6.00   1.51823    59.0       31.34
33         51.451    5.00                         29.84
34          ∞       5.84   1.48749    70.2       28.42
35        -29.548    2.00   1.78590    44.2       27.61
36       -115.703    1.49                         27.22
37        446.513    3.33   1.51823    58.9       26.35
38       -135.856    5.50                         25.72
39          ∞      37.50   1.60342    38.0       40.00
40          ∞      20.25   1.51633    64.2       40.00
41          ∞     (可変)                         40.00
像面        ∞   
各種データ
ズーム比     50.00 
広角     中間     望遠
焦点距離      11.00    99.99   550.00  
Fナンバー      2.10     2.09     5.10  
画角          26.56     3.15     0.57  
像高           5.50     5.50     5.50  
レンズ全長   385.94   385.94   385.94  
BF            10.15    10.15    10.15  
d 8            1.00    88.10   105.53  
d15            8.48    15.15    23.80  
d17          121.41    15.49    10.50  
d20            9.94    22.09     1.00  
d41           10.15    10.15    10.15  
入射瞳位置    81.67   798.57   2817.04  
射出瞳位置  -304.39  -304.39  -304.39  
前側主点位置  92.29   866.77   2405.33  
後側主点位置  -0.85   -89.84  -539.85  
ズームレンズ群データ
群  始面    焦点距離  レンズ構成長  前側主点位置  後側主点位置
1    1     154.97        46.87        19.50        -12.97
2    9     -46.58        19.08         7.10         -3.99
3   16     -45.66         1.30         0.19         -0.54
4   18     -57.76         5.29        -0.73         -3.56
5   21      56.84       162.42        43.20       -124.30
ズーム軌跡データ
A1=114.859     A2=6.009     A3=-1.7093 
A4=-5.291      A5=-4.668    A6=-4.668
B1=83.579      B2=92.783     B3=4.387
B4=-75.305     B5=-65.944    B6=80.343
単レンズデータ
レンズ  始面  焦点距離
1       1   -310.72
2       3    264.27
3       5    344.47
4       7    337.35
5       9   -100.34
6      11     41.64
7      12    -19.11
8      14     56.61
9      16    -45.66
10      18     61.45
11      19    -31.17
12      22     94.78
13      24    106.78
14      26     58.41
15      27    -46.50
16      29     69.65
17      31    -71.69
18      32     88.50
19      34     60.41
20      35    -50.74
21      37    200.58
22      39      0.00
23      40      0.00
数値実施例５
単位 mm
面データ
面番号       r        d      nd         vd       有効径
1        294.647    2.40   1.88300    40.8       97.98
2         96.939    1.00                         93.63
3         98.420   12.74   1.43875    94.9       93.77
4        960.054    0.40                         93.34
5        299.921    4.22   1.43875    94.9       92.58
6        782.827    5.74                         92.03
7        187.820    6.98   1.43875    94.9       90.14
8       1443.464    0.20                         89.27
9        171.056   10.27   1.43875    94.9       86.48
10       2117.664    2.59                         83.70
11         82.970   11.00   1.49700    81.5       74.90
12       3682.456  (可変)                         73.20
13       1733.439    1.50   1.75500    52.3       34.91
14         27.127    6.58                         29.41
15        -62.608    5.00   1.92286    18.9       29.01
16        -24.701    1.50   1.80400    46.6       28.78
17        117.977  (可変)                         27.22
18        -28.042    1.80   1.75500    52.3       19.01
19        -82.763  (可変)                         20.11
20        -84.554    1.30   1.61800    63.3       27.20
21         78.547    2.68   1.85026    32.3       28.70
22        367.215  (可変)                         29.20
23(絞り)    ∞       1.38                         29.86
24          ∞       5.83   1.60738    56.8       30.76
25        -56.550    0.79                         32.13
26         69.794    5.77   1.49700    81.5       33.55
27        -82.537    0.15                         33.58
28         42.239    7.22   1.48749    70.2       32.60
29        -69.255    1.50   1.88300    40.8       31.77
30        107.314   50.00                         30.87
31        111.229    4.88   1.51742    52.4       28.01
32        -45.793    0.15                         27.94
33        -83.340    1.60   1.78590    44.2       27.45
34         23.406    6.64   1.51742    52.4       26.93
35       -200.511    0.15                         27.24
36         39.834    7.15   1.51742    52.4       27.81
37        -35.477    1.20   1.83481    42.7       27.56
38        340.041    0.15                         27.71
39         32.199    5.63   1.48749    70.2       28.13
40       -167.267    3.80                         27.72
41          ∞      34.38   1.60859    46.4       40.00
42          ∞      13.75   1.51680    64.2       40.00
43          ∞     (可変)                         40.00
像面        ∞   
各種データ
ズーム比     23.00 
広角     中間     望遠
焦点距離      10.00    99.97   230.00  
Fナンバー      2.00     2.00     3.00  
画角          28.81     3.15     1.37  
像高           5.50     5.50     5.50  
レンズ全長   324.91   324.91   324.91  
BF             4.91     4.91     4.91  
d12            1.09    66.62    75.51  
d17           63.53     5.69     5.78  
d19           24.04     2.85     7.38  
d22            1.30    14.81     1.30  
d43            4.91     4.91     4.91  
入射瞳位置    74.68   561.21   1029.63  
射出瞳位置   213.45   213.45   213.45  
前側主点位置  85.16   709.11   1513.31  
後側主点位置  -5.09   -95.06  -225.09  
ズームレンズ群データ
群  始面    焦点距離  レンズ構成長  前側主点位置  後側主点位置
1    1     109.54        57.55        32.52         -8.96
2   13     -21.00        14.59         3.40         -6.92
3   18     -56.72         1.80        -0.53         -1.57
4   20    -149.86         3.98         0.42         -1.81
5   23      89.98       152.11       115.21       -197.33
ズーム軌跡データ
A1=94.392      A2=-57.985      A3=106.100 
A4=-219.819    A5=207.547      A6=-55.816
B1=-8.567      B2=244.064      B3=-1229.142
B4=2399.961    B5=-2092.273    B6=702.622
単レンズデータ
レンズ  始面  焦点距離
1       1   -163.60
2       3    248.19
3       5    1102.41
4       7    490.05
5       9    422.39
6      11    170.12
7      13    -36.35
8      15     41.05
9      16    -25.16
10      18    -56.72
11      20    -65.44
12      21    116.16
13      24     92.72
14      26     76.84
15      28     54.80
16      29    -47.20
17      31     63.08
18      33    -22.98
19      34     40.74
20      36     37.31
21      37    -38.21
22      39     55.72
23      41      0.00
24      42      0.00
【００８７】
【表１】
2017203912.tif 000003
【符号の説明】
【００８８】
Ｕ１  第１レンズ群、Ｕ２  第２レンズ群、Ｕ３  第３レンズ群、Ｕ４  第４レンズ群、
Ｕ５  第５レンズ群、ＳＰ  絞り、Ｉ  像面
【図１】
2017203912.tif 000004
【図２（Ａ）】
2017203912.tif 000005
【図２（Ｂ）】
2017203912.tif 000006
【図２（Ｃ）】
2017203912.tif 000007
【図３】
2017203912.tif 000008
【図４（Ａ）】
2017203912.tif 000009
【図４（Ｂ）】
2017203912.tif 000010
【図４（Ｃ）】
2017203912.tif 000011
【図５】
2017203912.tif 000012
【図６（Ａ）】
2017203912.tif 000013
【図６（Ｂ）】
2017203912.tif 000014
【図６（Ｃ）】
2017203912.tif 000015
【図７】
2017203912.tif 000016
【図８（Ａ）】
2017203912.tif 000017
【図８（Ｂ）】
2017203912.tif 000018
【図８（Ｃ）】
2017203912.tif 000019
【図９】
2017203912.tif 000020
【図１０（Ａ）】
2017203912.tif 000021
【図１０（Ｂ）】
2017203912.tif 000022
【図１０（Ｃ）】
2017203912.tif 000023
【図１１】
2017203912.tif 000024
【図１２】
2017203912.tif 000025
【図１３】
2017203912.tif 000026
【図１４】
2017203912.tif 000027